(57)【特許請求の範囲】
【請求項１】
カーテンポール用ブラケットとカーテンレール用ブラケットを共用のベースプレートに固定する前後二重カーテン装置において、平板状のベースプレート（10）の左右方向の中央にカーテンポール用エンドブラケット（21）をねじ止めするためのねじ孔（11）を設け、前記ねじ孔の上下に壁面固定用止めねじ（13）の通し孔（12）を設け、前後二重カーテン装置の内側となる前記ベースプレートの左右方向の一側の所定位置にカーテンレール用エンドブラケット（31）をねじ止めするためのねじ孔（17）を設け、前記ベースプレートの左右方向の他側の端部（14）を前方へ折り曲げ、そこにフック孔（15）を設け、前記カーテンポール用エンドブラケットの台座（25）に前記ねじ孔（11）と前記通し孔（12）とにそれぞれ連通する３個の通し孔（23）を設けたことを特徴とする前後二重カーテン装置。
【請求項２】
ベースプレート（10）のねじ孔（11）の左右に前方へ突出する１組の凸部（16）を設け、カーテンポール用エンドブラケット（21）の後面に前記凸部と係合する凹部（26）を設けたことを特徴とする請求項１記載の前後二重カーテン装置。
【発明の詳細な説明】
【０００１】
【発明の属する技術分野】
本発明は前後二重カーテン装置のカーテンポール用ブラケットとカーテンレール用ブラケットを一体化するために使用するベースプレートに関する。
【０００２】
【従来の技術】
従来、前後二重カーテンの一方をカーテンポールに、他方をカーテンレールに吊す場合、カーテンポール用ブラケットとカーテンレール用ブラケットはそれぞれ独立して壁面に固定していた。このため、二重カーテンを設置する壁面には、一重カーテンの２倍の止めねじが必要であった。又、前後二重カーテンは、カーテンポールとカーテンレールが所定の固定位置からずれると外観が不良になるので、それぞれのエンドブラケットの固定位置を正確に設定しなければならなかった。さらに、前側のカーテンポールに吊したカーテンは壁面から距離があるため、側面から光が漏れ不体裁であった。
【０００３】
【発明が解決しようとする課題】
二重カテーン装置においても、ブラケットを固定する止めねじの本数が多いと、設置に手間を要するだけでなく、壁面の傷も多くなるので、止めねじの本数を減少することが望まれていた。又、設置現場において、カーテンポール用ブラケトとカーテンレール用ブラケットの固定位置の設定を容易にすることが要望されていた。
【０００４】
本発明はこれらの要望に応えるためになされたものであり、その目的とするところは、二重カーテンのエンドブラケットを固定する止めねじの本数が一重カーテンと同一になり、カーテンポールとカーテンレールの双方のエンドブラケットの固定位置が正確に設定され、側面からの光漏れも防止することができる手段を提供することにある。
【０００５】
【課題を解決するための手段】
前記目的を達成するため、本発明が採用する手段は、カーテンポール用エンドブラケットとカーテンレール用エンドブラケットを共用のベースプレートに固定したことにある。そのベースプレートの所定位置にカーテンポール用エンドブラケットとカーテンレール用エンドブラケットを固定するねじ孔を設けて、双方のエンドブラケットの固定位置をあらかじめ正確に設定する。ベースプレートの外端部にはカーテン用フック孔を設け、壁面には２本の共通の止めねじでカーテンポール用エンドブラケットとベースプレートを固定する。
【０００６】
カーテンポール用エンドブラケットのねじ孔を中心とする角度位置は、相互の凹凸係合によって位置決めすることが望ましい。
あらかじめ、カーテンポール用エンドブラケットとカーテンレール用エンドブラケットを固定しておくと、現場における施工は、ベースプレートとカーテンポール用エンドブラケットを共通の２本の止めねじで壁面に固定するだけであるから、エンドブラケットの固定に要する手間は半減し、壁面の止めねじによる傷も少なくなる。カーテンポールに掛けたカーテンの側縁をベースプレートのフック孔にフックを介して掛け止めすると、側面もカーテンで覆われるから、体裁が良くなり、側面からの光漏れもなくなる。
【０００７】
【発明の実施の形態】
本発明の実施の形態を図面に示すベースプレートに基づいて説明する。
図１及び図２に示すベースプレート10は二重カーテン装置の左端用であり、左側が前後二重カーテン装置の外側に、右側が内側になる。図示していないが、右端用は左端用と対称な形状である。
【０００８】
ベースプレートは板金製であり、左右方向の中央にはカーテンポール用エンドブラケットを固定するねじ孔11が、そのねじ孔の上下には２つの壁面固定用止めねじを通す通し孔12が、それぞれ設けられる。左端用ベースプレート10には、カーテンレール用エンドブラケットを固定するねじ孔17が右側の所定位置に設けられる。このベースプレート10の左端部14は前方すなわち室内側に折れ、そこにフック孔15があけられる。ベースプレート10の中央のねじ孔11の左右に２つの凸部16が設けられる。
【０００９】
図３に示すように、ベースプレート10の中央にカーテンポール用エンドブラケットの台座25を置く。このとき、破線で示すように、ベースプレート10の凸部16を台座25の後面の凹部26にはめると、台座25の上下の通し孔23とベースプレート10の通し孔12は合致する。ついで、中央の通し孔に止めねじ22を通し、ねじ孔11にねじ込んで、台座25をベースプレート10に固定する。カーテンレール用ブラケット31の止めねじ32を図１のねじ孔17にねじ込んで、エンドブラケット31をベースプレート10に固定する。
【００１０】
ベースプレート10に固定したカーテンポール用エンドブラケット21とカーテンレール用エンドブラケット31の関係位置は、図１のねじ孔11、17によって正確に設定される。カーテンポール用エンドブラケット21の上下の通し孔23に２本の止めねじを通して固定すると、同時にカーテンレール用エンドブラケット31がベースプレート10と共に固定されるから、二重カーテン装置のエンドブラケットの壁面固定に必要な止めねじは２本だけである。
【００１１】
図示していないが、カーテンポールに吊したカーテンの上側縁を図２のフック孔15にフックを介して掛け止めすると、二重カーテン装置の両側はカーテンで覆われるから、体裁が良く、光漏れもなくなる。
【００１２】
【実施例】
本発明の実施例を備えた前後二重カーテン装置を図４及び図５に基づいて説明する。
あらかじめ、ベースプレート10にカーテンポール用エンドブラケット21の台座25とカーテンレール用エンドブラケット31をそれぞれ止めねじ22、32によって固定しておく。ついで、現場において、ベースプレート10と台座25の連通する上下の通し孔12、23に２本の止めねじ13を通してベースプレート10と台座25を壁面に固定する。台座25に本体24を取り付け、固定ねじ27によって本体24と台座25を一体に固定する。
【００１３】
次に、カーテンポール用エンドブラケット21にカーテンポール20を、カーテンレール用エンドブラケット31にカーテンレール30をそれぞれ取り付ける。ついで、カーテンポール20にリングランナー28を、カーテンレール30にカーテンランナー33をそれぞれ必要数取り付ける。
図示していないが、リングランナーに前側カーテンの上縁を、カーテンランナーに後側カーテンの上縁をそれぞれフックを介して掛け止めする。さらに、前側カーテンの上縁両側はフックを介してベースプレートのフック孔に掛け止めし、前後二重カーテン装置の両側を前側カーテンによって覆う。
【００１４】
【発明の効果】
上記のとおり、本発明のベースプレートは、前後二重カーテンのカーテンポール用エンドブラケットとカーテンレール用エンドブラケットを所定の関係位置に固定し、壁面には２本の止めねじだけで固定することができるから、従来のそれぞれのエンドブラケットを独立にそれぞれ２本の止めねじで壁面に固定していたものに比べると、設置が容易になると共に、相互の固定位置は正確に設定され、側面からの光漏れも防止されるという優れた効果を奏する。
【図面の簡単な説明】
【図１】は本発明の一実施例のベースプレートの正面図、
【図２】は図１のベースプレートの左側面図、
【図３】は図１のベースプレートにカーテンポール用エンドブラケットの台座とカーテンレール用エンドブラケットを固定した状態を示す正面図、
【図４】は図１のベースプレートを使用して設置した前後二重カーテン装置の要部を断面で示す側面図、
【図５】は図４の前後二重カーテン装置の要部を示す正面図、
【符号の説明】
10：ベースプレート
11：ねじ孔
12：通し孔
13：止めねじ
14：外端部
15：フック孔
16：凸部
17：ねじ孔
20：カーテンポール
21：エンドブラケット
22：止めねじ
23：通し孔
24：本体
25：台座
26：凹部
27：固定ねじ
28：リングランナー
30：カーテンレール
32：止めねじ
33：カーテンランナー
【図１】
0003666524.tif 000002
【図２】
0003666524.tif 000003
【図３】
0003666524.tif 000004
【図４】
0003666524.tif 000005
【図５】
0003666524.tif 000006